(57)【要約】【課題】組立て式商品の嵌合部品の提供。【解決手段】主にコンピュータデスク、テレビ台などの組立て式商品の板片と板片間に係合結合し、少なくとも固定台、中空嵌合部品、固定棒を含む。該固定台は該第一板片に埋入、該中空嵌合部品は該第二板片に埋入、底部は該固定台に嵌入する。該固定棒は該中空嵌合部品内縁に穿入、これにより該中空嵌合部品は該固定台において係合状態を維持する。上記嵌合部品の固定台、中空嵌合部品、固定棒の組み合わせ応用により、組立て式商品は組立てを行う過程で工具の補助が不要となる。【選択図】図１
0003127891.tif 000002
【実用新案登録請求の範囲】
【請求項１】
組立て式商品の嵌合部品は組立て式商品の第一板片と第二板片間に係合、結合し、少なくとも固定台、中空嵌合部品、固定棒を含み、
該固定台は該第一板片に埋入、その頂点部には嵌合孔を設置し、該嵌合孔内縁にはさらに内径が該嵌合孔より大きい嵌合槽を設置し、
該中空嵌合部品は該第二板片に埋設する貫通孔に埋入、該中空嵌合部品は該貫通孔に埋入可能なナット、該ナット下方に設置し、しかも該貫通孔に穿出する穿棒、及び上から下へと該ナットと該穿棒を貫通する貫通孔を含み、その外縁には外径が該嵌合孔より大きい弾性定位部を設置し、該嵌合槽に係合し、
該固定棒は該中空嵌合部品の貫通孔に穿入、その棒体は該中空嵌合部品の貫通孔に穿入、該貫通孔内縁の該弾性定位部に位置する位置につかえ、これにより弾性定位部は該嵌合槽に係合する状態を維持することを特徴とする組立て式商品の嵌合部品。
【請求項２】
請求項１記載の組立て式商品の嵌合部品において、前記固定台底部は該第一板片の固定孔中に埋設し、該固定台底部周縁は複数の水平フック槽が構成する逆止め機能を備えた結合部であることを特徴とする組立て式商品の嵌合部品。
【請求項３】
請求項１記載の組立て式商品の嵌合部品において、前記固定台底部は該第一板片の固定孔中に埋設し、該固定台底部周縁は複数のネジヤマが構成する逆止め機能を備えた結合部であることを特徴とする組立て式商品の嵌合部品。
【請求項４】
請求項１記載の組立て式商品の嵌合部品において、前記穿棒壁面には多数の断溝を備え、内部へと圧縮される空間を備えることを特徴とする組立て式商品の嵌合部品。
【請求項５】
請求項１記載の組立て式商品の嵌合部品において、前記中空嵌合部品はさらに該ナット外縁に少なくとも１個のガードブロックを設置し、該第二板片の貫通孔壁面と相互に対応することを特徴とする組立て式商品の嵌合部品。
【請求項６】
請求項１記載の組立て式商品の嵌合部品において、前記中空嵌合部品の貫通孔上方側辺には少なくとも１個の導引部を設置し、該固定棒上方にはさらに棒頭を含み、該棒頭底部は該導引部に対応し導引凸ブロックを設置することを特徴とする組立て式商品の嵌合部品。
【請求項７】
請求項６記載の組立て式商品の嵌合部品において、前記棒頭上にはさらに施力部を設置することを特徴とする組立て式商品の嵌合部品。
【考案の詳細な説明】
【技術分野】
【０００１】
本考案は一種の組立て式商品の嵌合部品に関する。特に一種のコンピュータデスク、テレビ台などの組み合わせ商品の板片と板片の間に係合、結合し、組立て式商品の組立てに工具を不要とする組立て式商品の嵌合部品に係る。
【背景技術】
【０００２】
人々のDIYによる楽しさと満足感に対する欲求を満たすため、各種のコンピュータデスク、テレビ台など顧客が自ら組立てる組立て式商品が次々に売り出されている。これら組立て式商品の組立て時には通常はネジを螺設、或いは木ネジを打ち込む方式により頂点面板片と側面のサポート板片を結合させる。
【０００３】
しかし、ネジを螺設、或いは木ネジを打ち込む方式により組立て式商品を組立てても、消費者がDIYで組立てる過程では、各ネジに対してドライバーにより施力し、しっかりと螺設、或いは木ネジを金槌で打ち込むなど必ずドライバー或いはかなづちなどの手工具が必要である。これでは消費者にとっては力を使わなければならないばかりか、非常に不便である。
【０００４】
この他、組立て式商品の板片の多くは高圧密集板或いは木板であるため、各板片間にネジを用い螺設する時、板片上のネジ孔は崩れ易い。これでは安定的に該商品を組立てすることができず、しかも分解し再度組立てることもできない。
【考案の開示】
【考案が解決しようとする課題】
【０００５】
本考案は主に組立て式商品の嵌合部品を提供し、コンピュータデスク、テレビ台などの組立て式商品の板片と板片間に係合結合し、組立て式商品は組立てを行う過程で工具の補助が不要となる。
【０００６】
該嵌合部品は組立て式商品の第一板片(テレビ台の側板など)と第二板片(テレビ台の頂点面板など)間に係合結合し、少なくとも固定台、中空嵌合部品、固定棒を含み、該固定台は該第一板片に埋入、該中空嵌合部品は該第二板片に埋入、底部は該固定台に嵌入する。
【０００７】
該固定台は該第一板片の固定孔中に埋設し、底部には逆止め機能を備えた結合部で、頂点部には嵌合孔を設置し、該嵌合孔内縁にはさらに嵌合槽を設置し、しかも該嵌合槽の内径は該嵌合孔内計より大きくする。
【０００８】
該中空嵌合部品は該第二板片上の貫通孔中に埋入、該中空嵌合部品は該貫通孔中に埋入するナット、該ナット下方に設置し、該貫通孔に穿出する穿棒、及び該ナットと該穿棒を貫通する貫通孔を含み、該穿棒は該固定台の嵌合孔に嵌入可能で、その外縁壁面には弾性定位部を突出設置し、該中空嵌合部品のナットが該第二板片の貫通孔に埋入、しかも該穿棒が該貫通孔を貫通し該固定台の嵌合孔に嵌入する時、該弾性定位部は該嵌合槽内に係合し、これにより該第一板片と該第二板片は一次的な固定状態を形成する。
【０００９】
該固定棒は棒体と棒頭を含み、該棒体は該中空嵌合部品内縁の貫通孔中に穿入可能で、該弾性定位部内縁の貫通孔壁面につかえ、これにより該弾性定位部は該嵌合槽における係合状態を維持し、これにより該中空嵌合部品と該固定台は堅固に結合し、上記固定台、中空嵌合部品、固定棒の相互組み合わせと係合により第一板片と第二板片は接合を完成する。
【００１０】
また該中空嵌合部品の貫通孔上方側辺には別に少なくとも１個の導引部を設置し、該棒頭底部は該導引部に相対し導引凸ブロックを設置し、該固定棒が回転する時、該導引凸ブロックは該導引部に従い上昇を導引し、これにより該固定棒は上方へと移動し、こうして該固定棒の棒体は該弾性定位部内側貫通孔壁面の位置におけるつかえを解消し、該中空嵌合部品は前記弾性定位部が該固定台の嵌合槽内に弾性係合する状態を回復する。
【００１１】
組立て式商品を分解する時には該固定棒を上方へと移動させた後、該中空嵌合部品と該固定台の間は弾性係合状態であるため、該中空嵌合部品を上方へと外すことができ、該弾性定位部を内部へと縮小させ、該固定台から離脱させ、こうして第一板片と第二板片は分離する組立て式商品の嵌合部品を提供する。
【課題を解決するための手段】
【００１２】
請求項１の考案は、組立て式商品の第一板片と第二板片間に係合、結合し、少なくとも固定台、中空嵌合部品、固定棒を含み、
該固定台は該第一板片に埋入、その頂点部には嵌合孔を設置し、該嵌合孔内縁にはさらに内径が該嵌合孔より大きい嵌合槽を設置し、
該中空嵌合部品は該第二板片に埋設する貫通孔に埋入、該中空嵌合部品は該貫通孔に埋入可能なナット、該ナット下方に設置し、しかも該貫通孔に穿出する穿棒、及び上から下へと該ナットと該穿棒を貫通する貫通孔を含み、その外縁には外径が該嵌合孔より大きい弾性定位部を設置し、該嵌合槽に係合し、
該固定棒は該中空嵌合部品の貫通孔に穿入、その棒体は該中空嵌合部品の貫通孔に穿入、該貫通孔内縁の該弾性定位部に位置する位置につかえ、これにより弾性定位部は該嵌合槽に係合する状態を維持することを特徴とする組立て式商品の嵌合部品としている。
請求項２の考案は、請求項１記載の組立て式商品の嵌合部品において、前記固定台底部は該第一板片の固定孔中に埋設し、該固定台底部周縁は複数の水平フック槽が構成する逆止め機能を備えた結合部であることを特徴とする組立て式商品の嵌合部品としている。
請求項３の考案は、請求項１記載の組立て式商品の嵌合部品において、前記固定台底部は該第一板片の固定孔中に埋設し、該固定台底部周縁は複数のネジヤマが構成する逆止め機能を備えた結合部であることを特徴とする組立て式商品の嵌合部品としている。
請求項４の考案は、請求項１記載の組立て式商品の嵌合部品において、前記穿棒壁面には多数の断溝を備え、内部へと圧縮される空間を備えることを特徴とする組立て式商品の嵌合部品としている。
請求項５の考案は、請求項１記載の組立て式商品の嵌合部品において、前記中空嵌合部品はさらに該ナット外縁に少なくとも１個のガードブロックを設置し、該第二板片の貫通孔壁面と相互に対応することを特徴とする組立て式商品の嵌合部品としている。
請求項６の考案は、請求項１記載の組立て式商品の嵌合部品において、前記中空嵌合部品の貫通孔上方側辺には少なくとも１個の導引部を設置し、該固定棒上方にはさらに棒頭を含み、該棒頭底部は該導引部に対応し導引凸ブロックを設置することを特徴とする組立て式商品の嵌合部品としている。
請求項７の考案は、請求項６記載の組立て式商品の嵌合部品において、前記棒頭上にはさらに施力部を設置することを特徴とする組立て式商品の嵌合部品としている。
【考案の効果】
【００１３】
本考案は固定台、中空嵌合部品、固定棒の相互組み合わせと係合により、第一板片と第二板片の接合を迅速に完成可能で、工具不要の状況下で組立て式商品に対して迅速に組立てを行うことができる。さらに組立て式商品を分解する必要がある時には、第一板片と第二板片を簡単に分離可能で、組立て式商品を損傷させる恐れはない。
【考案を実施するための最良の形態】
【００１４】
図１、２に示すように、本考案は主に固定台１０、中空嵌合部品２０、固定棒３０により組成し、これにより組立て式商品は第一板片４０(テレビ台の側板など)と第二板片５０(テレビ台の頂点面板など)を嵌合接合するなどの過程において工具の補助を不要とする。
該固定台１０は該第一板片４０の固定孔４１中に埋設し、底部は逆止め機能を備えた結合部１１で、頂点部には嵌合孔１２を設置する。
該嵌合孔１２内縁にはさらに嵌合槽１３を設置し、しかも該嵌合槽１３の内径は該嵌合孔１２の内径より大きい。
該中空嵌合部品２０は該第二板片５０上の貫通孔５１中に穿入する。該中空嵌合部品２０は該貫通孔５１中に穿入するナット２１、該ナット２１下方に設置し、しかも該貫通孔５１に穿出する穿棒２２、及び上から下へと該ナット２１と該貫通孔２３を貫通する。該穿棒２２は該固定台１０の嵌合孔１２に嵌合可能で、その外縁壁面には数本の断溝２４を備え、弾性定位部２５を突出設置する。該中空嵌合部品２０のナット２１が該第二板片５０の貫通孔５１に嵌入し、しかも該穿棒２２が該貫通孔５１を貫通し、該固定台１０の嵌合孔１２に嵌入すると、該弾性定位部２５は該嵌合槽１３内に弾性係合する。これにより該第一板片４０と該第二板片５０間には一次的固定状態が生まれる。
該固定棒３０は棒ヘッド３１、棒体３２、導引凸ブロック３３、施力部３４を含む。
該棒体３２は該中空嵌合部品２０内縁の貫通孔２３中に穿入、該弾性定位部２５内縁の貫通孔２３壁面につかえる。これにより該弾性定位部２５は該嵌合槽１３における嵌合状態を維持し、こうして該中空嵌合部品２０と該固定台１０は堅固に結合する。該固定台１０、該中空嵌合部品２０、該固定棒３０の相互組み合わせと嵌合により、該第一板片４０と該第二板片５０は接合を完成する。
【００１５】
次に図３、４に示すように、上記構造により使用者が該第一板片４０と該第二板片５０を接合しようとする時、先ず該固定台１０を該第一板片４０の固定孔４１に埋入、該第二板片５０を該第一板片４０上に重ねる。さらに該中空嵌合部品２０のナット２１を該貫通孔５１中に埋入、これにより該穿棒２２は該貫通孔５１を貫通し該固定台１０の嵌合孔１２内に挿入する。該弾性定位部２５を通して該嵌合槽１３に嵌合し、こうして該第一板片４０と該第二板片５０間に一次的固定を形成する。
上記組立て過程において、該中空嵌合部品２０は該貫通孔５１を貫通後、さらに底部の穿棒２２により該固定台の嵌合孔１２に穿入する時、該穿棒２２外縁壁面には複数の断溝２４を設置するため、内部へと圧縮する空間を備える。このため、該弾性定位部２５は該嵌合孔１２の内縁壁面につかえる時、内部へと圧縮し、これにより外径が大きい弾性定位部２５は外径が小さい嵌合孔１２を通過することにより、該弾性定位部２５と該嵌合槽１３は対応し、該嵌合槽１３内に弾性嵌合する。
【００１６】
続いて図５、６に示すように、該中空嵌合部品２０と該固定台１０は嵌合後、該固定棒３０の棒体３２を該中空嵌合部品２０の貫通孔２３中に穿入する。この時、該固定棒３０の棒体３２は該弾性定位部２５内側の貫通孔２３壁面につかえ、該弾性定位部２５を該嵌合槽１３内壁に緊密に接触させ、内側へと圧縮できなくする。さらに該弾性定位部２５の外径は該嵌合孔１２の内径より大きいため、該中空嵌合部品２０は該固定台１０に緊密に嵌合し上方へと離脱することはない。これにより該固定台１０、該中空嵌合部品２０、該固定棒３０間は緊密に結合され脱落の恐れはなくなり、該第一板片４０と該第二板片５０は迅速に完全に接合され、工具不要な状況下で組立て式商品の迅速な組立てを完成することができる。
【００１７】
さらに図１、２、７に示すように、上記の組み立て構造は分解時の便のため、該中空嵌合部品２０の貫通孔２３上方側片には別に少なくとも１個の導引部２６を設置し、該固定棒３０の棒頭３２底部は該導引部２６に相対し導引凸ブロック３３を設置する。該固定棒３０が回転すると、該導引凸ブロック３３は該導引部２６の導引に従い導引し、該固定棒３０を上方へと移動させる。これにより該固定棒３０の棒体３２は、つかえていた該弾性定位部２５内側の貫通孔２３壁面の位置から離脱し、該中空嵌合部品２０は該弾性定位部２５が該固定台１０の嵌合槽１３内に弾性嵌合する状態を回復する。
この時、該中空嵌合部品２０と該固定台１０間は弾性係合状態となるため、該中空嵌合部品２０を上方へと外すことができ、該弾性定位部２５は内縮、該固定台１０から離脱し、該第一板片４０と該第二板片５０を分離する。
【００１８】
この他、分解の過程をスムーズにするため、該棒体３２上にはさらに施力部３４を設置する。組立て式商品の分解を行う時には、該施力部３４により該固定棒３０に対して上昇の動きを加え施力の補助作用を生じる。図示の施力部３４はドライバーが施力可能な工具孔で、実施時には四角形或いは六角形などとし、異なる工具の施力に適用することができる。
また該中空嵌合部品２０はさらにナット２１外縁に少なくとも１個のガードブロック２７を突出設置することができる。該ナット２１が該第二板片５０の貫通孔５１に埋入する時、該ガードブロック２７は該貫通孔５１の壁面と相互に対応し、該中空嵌合部品２０のナット２１と該第二板片５０の貫通孔５１の摩擦力を増加し、該固定棒３０を取り外す時の該中空嵌合部品２０の回転を防止することができる。
【００１９】
さらに図１に示す該固定台１０の結合部１１の実施時には、該固定台１０底部周辺に設置する複数の水平フック槽により構成し、木質のフレーム、椅子、机、家具などに適用することができる。該固定台１０が該第一板片４０の固定孔４１に嵌設後、該結合部１１と該固定孔４１間に形成する逆止め作用により、該固定台１０は安定的に該第一板片４０中に結合する。
【００２０】
この他、該結合部１１の実施時には図８に示すように、外ボルト構造を採用し該固定孔にあらかじめ設置するネジヤマ上に螺合することができる。主要な応用は該第一板片と該固定孔が金属材質である時、金属材質は高度が高いため、ボルトにより螺合する方式で該固定台１０を該第一板片の固定孔内に安定的に固定する。特に金属材質のフレーム、椅子、机などの組立て式商品への応用に特に適している。
【図面の簡単な説明】
【００２１】
【図１】本考案実施例の立体分解図である。
【図２】本考案実施例の構造断面図である。
【図３】本考案実施例の組み合わせ時に穿棒により嵌合孔に穿入する動作の表示図である。
【図４】本考案実施例の組み合わせ時に穿棒により嵌合孔に穿入、しかも嵌合槽に嵌合する動作の表示図である。
【図５】本考案実施例の組み合わせ時に棒体により貫通孔に穿入しようとする動作の表示図である。
【図６】本考案実施例組立て完成後の構造表示図である。
【図７】本考案実施例分解時に固定棒が中空嵌合部品から離脱する動作の表示図である。
【図８】本考案固定台の結合部の別種の実施例の外観表示図である。
【符号の説明】
【００２２】
１０  固定台
１１  結合部
１２  嵌合孔
１３  嵌合槽
２０  中空嵌合部品
２１  ナット
２２  穿棒
２３  貫通孔
２４  断溝
２５  弾性定位部
２６  導引部
２７  ガードブロック
３０  固定棒
３１  棒ヘッド
３２  棒体
３３  導引凸ブロック
３４  施力部
４０  第一板片
４１  固定孔
５０  第二板片
５１  貫通孔
【図１】
0003127891.tif 000003
【図２】
0003127891.tif 000004
【図３】
0003127891.tif 000005
【図４】
0003127891.tif 000006
【図５】
0003127891.tif 000007
【図６】
0003127891.tif 000008
【図７】
0003127891.tif 000009
【図８】
0003127891.tif 000010